(57)【要約】マルチユーザ多重入力多重出力（ＭＵ−ＭＩＭＯ）に基づくワイヤレス通信方法と対応するユーザ機器とｅＮｏｄｅＢを提供すること。本開示に従って、所望のＰＭＩと完全に直交する第１の共スケジュール化ＰＭＩに対応する第１のＭＵ−ＣＱＩオフセットは、所望のＰＭＩと完全に直交しない第２の共スケジュール化ＰＭＩに対応する第２のＭＵ−ＣＱＩオフセットよりもビットの大きな数でレポートされる。代替として、第１の共スケジュール化ＰＭＩに対応する第１のＭＵ−ＣＱＩオフセットは、ビットの第１の数でレポートされ、第１の共スケジュール化ＰＭＩと相関のある第２の共スケジュール化ＰＭＩに対応する第２のＭＵ−ＣＱＩオフセットは、ビットの第２のより小さい数でレポートされるか、またはレポートさえされない。
2016526860.tif 000002
【特許請求の範囲】
【請求項１】
マルチユーザ多重入力多重出力（ＭＵ−ＭＩＭＯ）に基づくワイヤレス通信方法であって、
共スケジュール化プリコーディング・マトリックス・インジケータ（ＰＭＩ）に対応するマルチユーザ・チャネル品質インジケータ（ＭＵ−ＣＱＩ）オフセットをユーザ機器（ＵＥ）によってｅＮｏｄｅＢへレポートするステップを備え、
所望のＰＭＩと完全に直交する第１の共スケジュール化ＰＭＩに対応する第１のＭＵ−ＣＱＩオフセットはビットの第１の数でレポートされ、
前記所望のＰＭＩと完全に直交しない第２の共スケジュール化ＰＭＩに対応する第２のＭＵ−ＣＱＩオフセットはビットの第２の数でレポートされ、
前記第２の数は前記第１の数よりも小さい、
ワイヤレス通信方法。
【請求項２】
前記第１の数は２であり、
前記第２の数は１である、
請求項１に記載のワイヤレス通信方法。
【請求項３】
前記第１のＭＵ−ＣＱＩオフセットと前記ビットの第１の数との間の関係は、第１のＭＵ−ＣＱＩオフセット表の中で定義され、
前記第２のＭＵ−ＣＱＩオフセットと前記ビットの第２の数との間の関係は、第２のＭＵ−ＣＱＩオフセット表の中で定義される、
請求項１または２に記載のワイヤレス通信方法。
【請求項４】
前記第１のＭＵ−ＣＱＩオフセットと前記ビットの第１の数との間の前記関係は、ＭＵ−ＣＱＩオフセット表の中で定義され、
前記ビットの第２の数は、前記ビットの第１の数でレポートされている前記第１のＭＵ−ＣＱＩオフセットの中での最良または最悪のＭＵ−ＣＱＩオフセットへのオフセットを示す、
請求項１または２に記載のワイヤレス通信方法。
【請求項５】
マルチユーザ多重入力多重出力（ＭＵ−ＭＩＭＯ）に基づくワイヤレス通信方法であって、
共スケジュール化プリコーディング・マトリックス・インジケータ（ＰＭＩ）に対応するマルチユーザ・チャネル品質インジケータ（ＭＵ−ＣＱＩ）オフセットをユーザ機器（ＵＥ）によってｅＮｏｄｅＢへレポートするステップを備え、
第１の共スケジュール化ＰＭＩに対応する第１のＭＵ−ＣＱＩオフセットはビットの第１の数でレポートされ、
前記第１の共スケジュール化ＰＭＩと相関のある第２の共スケジュール化ＰＭＩに対応する第２のＭＵ−ＣＱＩオフセットはビットの第２の数でレポートされるか、またはレポートされず、
前記第２の数は前記第１の数よりも小さい、
ワイヤレス通信方法。
【請求項６】
前記第１のＭＵ−ＣＱＩオフセットと前記ビットの第１の数との間の関係はＭＵ−ＣＱＩオフセット表の中で定義され、
前記第２のＭＵ−ＣＱＩオフセットが前記ビットの第２の数でレポートされる場合、前記ビットの第２の数は前記第１のＭＵ−ＣＱＩオフセットへのオフセットを示し、または、前記第２のＭＵ−ＣＱＩオフセットがレポートされない場合、前記第２のＭＵ−ＣＱＩオフセットは前記第１のＭＵ−ＣＱＩオフセットと同じであると仮定する、
請求項５に記載のワイヤレス通信方法。
【請求項７】
前記第１の数は２であり、
前記第２の数は１である、
請求項５に記載のワイヤレス通信方法。
【請求項８】
前記第１の共スケジュール化ＰＭＩは、所望のＰＭＩと完全に直交する共スケジュール化ＰＭＩであり、
前記第２の共スケジュール化ＰＭＩは、前記所望のＰＭＩと完全に直交しない共スケジュール化ＰＭＩである、
請求項５または６に記載のワイヤレス通信方法。
【請求項９】
マルチユーザ多重入力多重出力（ＭＵ−ＭＩＭＯ）に基づくワイヤレス通信方法であって、
無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ユーザ機器（ＵＥ）によって一連のビットでｅＮｏｄｅＢへレポートするステップを備え、
前記一連のビットの第１のセクションは前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、ワイヤレス通信方法。
【請求項１０】
レポートされない前記ＭＵ−ＣＱＩオフセットは、レポートされた前記ＭＵ−ＣＱＩオフセットを平均することによって計算される、請求項９に記載のワイヤレス通信方法。
【請求項１１】
ＲＲＣによって構成される前記複数の共スケジュール化ＰＭＩに対応する前記ＭＵ−ＣＱＩオフセットの中での最良のＭＵ−ＣＱＩオフセットとその対応する共スケジュール化ＰＭＩのインジケーションは、前記一連のビットでレポートされる、請求項９に記載のワイヤレス通信方法。
【請求項１２】
ＲＲＣによって構成される前記複数の共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項１１に記載のワイヤレス通信方法。
【請求項１３】
ランダムに選択される共スケジュール化ＰＭＩに対応するＭＵ−ＣＱＩオフセットもまた、前記一連のビットでレポートされる、請求項１１に記載のワイヤレス通信方法。
【請求項１４】
前記最良のＭＵ−ＣＱＩオフセットに関連する前記共スケジュール化ＰＭＩ以外の循環的に選択される共スケジュール化ＰＭＩに対応するＭＵ−ＣＱＩオフセットもまた、前記一連のビットでレポートされる、請求項１１に記載のワイヤレス通信方法。
【請求項１５】
前記循環的に選択される共スケジュール化ＰＭＩは、サブバンドに対して循環的に選択される、請求項１４に記載のワイヤレス通信方法。
【請求項１６】
前記最良のＭＵ−ＣＱＩオフセットが、前記レポートのために使用されるＭＵ−ＣＱＩオフセット表の中で定義される最悪のオフセット・レベルよりも良くない場合、前記最良のＭＵ−ＣＱＩオフセットとその対応する共スケジュール化ＰＭＩのインジケーションのみがレポートされる、請求項１１に記載のワイヤレス通信方法。
【請求項１７】
マルチユーザ多重入力多重出力（ＭＵ−ＭＩＭＯ）をサポートするユーザ機器（ＵＥ）であって、
共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニットを備え、
所望のＰＭＩと完全に直交する第１の共スケジュール化ＰＭＩに対応する第１のＭＵ−ＣＱＩオフセットはビットの第１の数でレポートされ、
前記所望のＰＭＩと完全に直交しない第２の共スケジュール化ＰＭＩに対応する第２のＭＵ−ＣＱＩオフセットはビットの第２の数でレポートされ、
前記第２の数は前記第１の数よりも小さい、
ユーザ機器。
【請求項１８】
前記第１の数は２であり、
前記第２の数は１である、
請求項１７に記載のユーザ機器。
【請求項１９】
マルチユーザ多重入力多重出力（ＭＵ−ＭＩＭＯ）をサポートするユーザ機器（ＵＥ）であって、
共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニットを備え、
第１の共スケジュール化ＰＭＩに対応する第１のＭＵ−ＣＱＩオフセットはビットの第１の数でレポートされ、
前記第１の共スケジュール化ＰＭＩと相関のある第２の共スケジュール化ＰＭＩに対応する第２のＭＵ−ＣＱＩオフセットはビットの第２の数でレポートされるか、またはレポートされず、
前記第２の数は前記第１の数よりも小さい、
ユーザ機器。
【請求項２０】
前記第１の数は２であり、
前記第２の数は１である、
請求項１９に記載のユーザ機器。
【請求項２１】
マルチユーザ多重入力多重出力（ＭＵ−ＭＩＭＯ）をサポートするユーザ機器（ＵＥ）であって、
無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを一連のビットでｅＮｏｄｅＢへレポートするように構成されるレポート・ユニットを備え、
前記一連のビットの第１のセクションは前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、
ユーザ機器。
【請求項２２】
ＲＲＣによって構成される前記複数の共スケジュール化ＰＭＩに対応する前記ＭＵ−ＣＱＩオフセットの中での最良のＭＵ−ＣＱＩオフセットとその対応する共スケジュール化ＰＭＩのインジケーションは、前記一連のビットでレポートされる、請求項２１に記載のユーザ機器。
【請求項２３】
ＲＲＣによって構成される前記複数の共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項２２に記載のユーザ機器。
【請求項２４】
ランダムに選択される共スケジュール化ＰＭＩに対応するＭＵ−ＣＱＩオフセットもまた、前記一連のビットでレポートされる、請求項２２に記載のユーザ機器。
【請求項２５】
前記最良のＭＵ−ＣＱＩオフセットに対応する前記共スケジュール化ＰＭＩ以外の循環的に選択される共スケジュール化ＰＭＩに対応するＭＵ−ＣＱＩオフセットもまた、前記一連のビットでレポートされる、請求項２２に記載のユーザ機器。
【請求項２６】
前記循環的に選択される共スケジュール化ＰＭＩはサブバンドに対して循環的に選択される、請求項２５に記載のユーザ機器。
【請求項２７】
前記最良のＭＵ−ＣＱＩオフセットが、前記レポートのために使用されるＭＵ−ＣＱＩオフセット表の中に定義される最悪のオフセット・レベルよりも大きくない場合、前記最良のＭＵ−ＣＱＩオフセットとその対応する共スケジュール化ＰＭＩのインジケーションのみがレポートされる、請求項２２に記載のユーザ機器。
【請求項２８】
マルチユーザ多重入力多重出力（ＭＵ−ＭＩＭＯ）に基づくワイヤレス通信方法であって、
ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢによって受信するステップを備え、
所望のＰＭＩと完全に直交する第１の共スケジュール化ＰＭＩに対応する第１のＭＵ−ＣＱＩオフセットはビットの第１の数でレポートされ、
前記所望のＰＭＩと完全に直交しない第２の共スケジュール化ＰＭＩに対応する第２のＭＵ−ＣＱＩオフセットはビットの第２の数でレポートされ、
前記第２の数は前記第１の数よりも小さい、
ワイヤレス通信方法。
【請求項２９】
マルチユーザ多重入力多重出力（ＭＵ−ＭＩＭＯ）に基づくワイヤレス通信方法であって、
ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢによって受信するステップを備え、
第１の共スケジュール化ＰＭＩに対応する第１のＭＵ−ＣＱＩオフセットは、ビットの第１の数でレポートされ、
前記第１の共スケジュール化ＰＭＩと相関のある第２の共スケジュール化ＰＭＩに対応する第２のＭＵ−ＣＱＩオフセットは、ビットの第２の数でレポートされるか、またはレポートされず、
前記第２の数は前記第１の数よりも小さい、
ワイヤレス通信方法。
【請求項３０】
マルチユーザ多重入力多重出力（ＭＵ−ＭＩＭＯ）に基づくワイヤレス通信方法であって、
一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ｅＮｏｄｅＢによって受信するステップを備え、
前記一連のビットの第１のセクションは、前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、ワイヤレス通信方法。
【請求項３１】
ＲＲＣによって構成される前記共スケジュール化ＰＭＩに対応する前記ＭＵ−ＣＱＩオフセットの中での最良のＭＵ−ＣＱＩオフセットとその対応する共スケジュール化ＰＭＩのインジケーションは、前記一連のビットでレポートされる、請求項３０に記載のワイヤレス通信方法。
【請求項３２】
ＲＲＣによって構成される前記共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項３１に記載のワイヤレス通信方法。
【請求項３３】
ランダムに選択される共スケジュール化ＰＭＩに対応するＭＵ−ＣＱＩオフセットもまた前記一連のビットでレポートされる、請求項３１に記載のワイヤレス通信方法。
【請求項３４】
前記最良のＭＵ−ＣＱＩオフセットに対応する前記共スケジュール化ＰＭＩ以外の循環的に選択される共スケジュール化ＰＭＩに対応するＭＵ−ＣＱＩオフセットもまた前記一連のビットでレポートされる、請求項３１に記載のワイヤレス通信方法。
【請求項３５】
前記循環的に選択される共スケジュール化ＰＭＩはサブバンドに対して循環的に選択される、請求項３４に記載のワイヤレス通信方法。
【請求項３６】
前記最良のＭＵ−ＣＱＩオフセットが、前記レポートのために使用されるＭＵ−ＣＱＩオフセット表の中に定義される最悪のオフセット・レベルよりも大きくない場合、前記最良のＭＵ−ＣＱＩオフセットとその対応する共スケジュール化ＰＭＩのインジケーションのみがレポートされる、請求項３１に記載のワイヤレス通信方法。
【請求項３７】
マルチユーザ多重入力多重出力（ＭＵ−ＭＩＭＯ）をサポートするｅＮｏｄｅＢであって、
ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、
所望のＰＭＩと完全に直交する第１の共スケジュール化ＰＭＩに対応する第１のＭＵ−ＣＱＩオフセットはビットの第１の数でレポートされ、
前記所望のＰＭＩと完全に直交しない第２の共スケジュール化ＰＭＩに対応する第２のＭＵ−ＣＱＩオフセットはビットの第２の数でレポートされ、
前記第２の数は前記第１の数よりも小さい、
ｅＮｏｄｅＢ。
【請求項３８】
マルチユーザ多重入力多重出力（ＭＵ−ＭＩＭＯ）をサポートするｅＮｏｄｅＢであって、
ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、
第１の共スケジュール化ＰＭＩに対応する第１のＭＵ−ＣＱＩオフセットはビットの第１の数でレポートされ、
前記第１の共スケジュール化ＰＭＩと相関のある第２の共スケジュール化ＰＭＩに対応する第２のＭＵ−ＣＱＩオフセットはビットの第２の数でレポートされるか、またはレポートされず、
前記第２の数は前記第１の数よりも小さい、
ｅＮｏｄｅＢ。
【請求項３９】
マルチユーザ多重入力多重出力（ＭＵ−ＭＩＭＯ）をサポートするｅＮｏｄｅＢであって、
一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを受信するように構成される受信ユニットを備え、
前記一連のビットの第１のセクションは前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、
ｅＮｏｄｅＢ。
【請求項４０】
ＲＲＣによって構成される前記共スケジュール化ＰＭＩに対応する前記ＭＵ−ＣＱＩオフセットの中での最良のＭＵ−ＣＱＩオフセットとその対応する共スケジュール化ＰＭＩのインジケーションは前記一連のビットでレポートされる、請求項３９に記載のｅＮｏｄｅＢ。
【請求項４１】
ＲＲＣによって構成される前記共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項４０に記載のｅＮｏｄｅＢ。
【請求項４２】
ランダムに選択される共スケジュール化ＰＭＩに対応するＭＵ−ＣＱＩオフセットもまた前記一連のビットでレポートされる、請求項４０に記載のｅＮｏｄｅＢ。
【請求項４３】
前記最良のＭＵ−ＣＱＩオフセットに対応する前記共スケジュール化ＰＭＩ以外の循環的に選択される共スケジュール化ＰＭＩに対応するＭＵ−ＣＱＩオフセットもまた、前記一連のビットでレポートされる、請求項４０に記載のｅＮｏｄｅＢ。
【請求項４４】
前記循環的に選択される共スケジュール化ＰＭＩはサブバンドに対して循環的に選択される、請求項４３に記載のｅＮｏｄｅＢ。
【請求項４５】
前記最良のＭＵ−ＣＱＩオフセットが、前記レポートのために使用されるＭＵ−ＣＱＩオフセット表の中に定義される最悪のオフセット・レベルよりも大きくない場合、前記最良のＭＵ−ＣＱＩオフセットとその対応する共スケジュール化ＰＭＩのインジケーションのみがレポートされる、請求項４０に記載のｅＮｏｄｅＢ。
【発明の詳細な説明】
【技術分野】
【０００１】
本開示は、ワイヤレス通信分野に関連し、詳細には、マルチユーザ・チャネル品質インジケータ（ＭＵ−ＣＱＩ）オフセットをレポートするワイヤレス通信方法、ユーザ機器、およびｅＮｏｄｅＢに関する。
【背景技術】
【０００２】
ＭＵ−ＭＩＭＯ（マルチユーザ多重入力多重出力）は、ＬＴＥ（ロング・ターム・エボリューション）の物理層における空間多重化技術の一種であり、１つのセル内で同時に多数のユーザをサポートする。現在の規格リリース（Ｒｅｌ．８〜１１）は、すでにＭＵ−ＭＩＭＯをサポートするが、トランスペアレント方法の一種による。ｅＮｏｄｅＢは、ＳＵ−ＭＩＭＯ（シングルユーザＭＩＭＯ）とＭＵ−ＭＩＭＯとの間のスイッチング／スケジューリングを柔軟に実行する。さらに、ＣＳＩ計算での現在の仮定はＳＵ−ＭＩＭＯであるため、ＭＵ  ＣＳＩ（チャネル・ステータス・インジケータ）計算に対するエンハンスメントはない。そのような挙動の問題は、ｅＮｏｄｅＢがＭＵに関する正確なＣＳＩ情報を知ることができないため、ＭＵ性能が不正確なＭＵペアリングとスケジューリングのために劣化することである。
【０００３】
そのような課題は、Ｒｅｌ．１２標準化会議でのｅＭＩＭＯセッション（ＬＴＥ−Ａｄｖａｎｃｅｄに対する更なるダウンリンクＭＩＭＯのエンハンスメント）の中で現在調査されている。しかしながら、現在まで合意されていない。最近のいくつかのＲＡＮ１会議（例えば、３ＧＰＰ  ＲＡＮ１＃７３）に提出された寄与文書から、次のような４つのタイプのオプションが存在する。
［オプション１］共スケジュール化ＰＭＩ仮説がＲＲＣ（無線リソース制御）によって構成される際におけるＭＵ−ＣＱＩ（マルチユーザ・チャネル品質インジケータ）オフセットの導入
［オプション２］ＳＵまたはＭＵの仮定についてのそれぞれのＣＳＩプロセスに対するＲＲＣシグナリングの導入
［オプション３］計測平均ウィンドウによって明確に定義されるＣＳＩ−ＩＭ（ＣＳＩ干渉計測）計測インターバルの導入
［オプション４］ＭＵに対するエンハンスメント無し（すなわち、ＣＳＩ−ＩＭ＋ランク制限の利用による規格上透過なアプローチ）
【０００４】
オプション２〜４と比較すると、ＵＥが正確なＭＵ  ＣＳＩ情報をフィードバックできるので、オプション１が最高の性能を得ると思われる。
【０００５】
オプション１の考え（非特許文献１を参照のこと。これは、本明細書に援用する。）は、ＵＥが共スケジュール化ＰＭＩ（プリコーディング・マトリックス・インジケータ）の仮定に基づく多数のＭＵ−ＣＱＩオフセットをフィードバック（レポート）するということである。本明細書では、共スケジュール化ＰＭＩは、可能な共スケジュール化ＵＥに対する可能なＰＭＩであり、ＲＲＣによって構成される。所望のＰＭＩに対するＣＱＩに関連する特定の共スケジュール化ＰＭＩを導入する場合、ＭＵ−ＣＱＩオフセットは、ＣＱＩオフセット（通常は劣化）である。所望のＰＭＩは、ターゲットＵＥが選択する最良のＰＭＩである。共スケジュール化ＰＭＩの仮定は、次の表１に示すように、ＲＲＣによって構築される。
【０００６】
【表１】
2016526860.tif 000003
表１は、共スケジュール化ＰＭＩ数（Ｋ）は５と仮定されている。表１から分かるように、所望のＰＭＩインデックスが０の場合、共スケジュール化ＰＭＩインデックスは１、２、３、８および１０であり、所望のＰＭＩインデックスが１の場合、共スケジュール化ＰＭＩインデックスは０、２、３、９および１１などである。ＭＵ−ＣＱＩオフセットは、それぞれの共スケジュール化ＰＭＩの仮定に対応して計算される。ＭＵ−ＣＱＩオフセットのフィードバックは、差分ＣＱＩ表に依存し、以下の表２に示すように２ビットを必要とする。
【０００７】
【表２】
2016526860.tif 000004
表２では、ＭＵ−ＣＱＩオフセットのオフセット・レベルは２ビットで示すことができる。２ビットの値（サブバンド差分ＣＱＩ値）が表の左の列に列挙されており、対応するオフセット・レベルが表の右の列に列挙される。例えば、２ビットの値が０、すなわち２ビットが「００」の場合、オフセット・レベルは０ｄＢであり、これは、共スケジュール化ＰＭＩを有するＣＱＩと所望のＰＭＩに対するＣＱＩとの間にオフセットがないことを意味する。２ビットの値が３の場合、すなわち２ビットが「１１」の場合、オフセット・レベルは「≦−１ｄＢ」であり、これは、共スケジュール化ＰＭＩを有するＣＱＩが所望のＰＭＩに対するＣＱＩよりも１ｄＢ以上小さいことを意味する。
【０００８】
図１は、ＭＵ−ＣＱＩオフセット・フィードバックに対してＭＵ−ＭＩＭＯをサポートする例示的な通信システムを示しており、１つのｅＮｏｄｅＢ（ｅＮＢ）、１つのターゲットＵＥ、および２つの可能な共スケジュール化ＵＥが存在する。このシステムでは、ターゲットＵＥは所望のＰＭＩに対する１つのＣＱＩをレポートし、２つの可能な共スケジュール化ＰＭＩ１および２に対してそれぞれ２つのＣＱＩオフセット１および２もレポートする。
【０００９】
上記のオプション１の問題は、特に共スケジュール化ＰＭＩ数が大きい場合、オーバヘッドが非常に大きいということである。例えば、共スケジュール化ＰＭＩ数が５の場合、それぞれのＭＵ−ＣＱＩオフセットは差分ＣＱＩ表に基づいて２ビットが必要なため、５つのＭＵ−ＣＱＩオフセットに対して１０ビットが必要とされる。共スケジュール化ＰＭＩ数が１０の場合、１０のＭＵ−ＣＱＩオフセットに対して２０ビットが必要とされる。
【先行技術文献】
【非特許文献】
【００１０】
【非特許文献１】３ＧＰＰ  ＲＡＮ１＃７３へ提出されたＲ１−１３２４８４
【発明の概要】
【発明が解決しようとする課題】
【００１１】
本開示は、性能を大幅に失うことなくＭＵ−ＣＱＩオフセットをレポートするためのオーバヘッドを削減するために、上記を考慮してなされる。
【課題を解決するための手段】
【００１２】
本開示の第１の１態様では、マルチユーザ多重入力多重出力（ＭＵ−ＭＩＭＯ）に基づくワイヤレス通信方法が提供され、共スケジュール化プリコーディング・マトリックス・インジケータ（ＰＭＩ）に対応するマルチユーザ・チャネル品質インジケータ（ＭＵ−ＣＱＩ）オフセットを、ユーザ機器（ＵＥ）によって、ｅＮｏｄｅＢへレポートするステップを備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は第１の数よりも小さい。好ましくは、第１の数は２、第２の数は１である。
【００１３】
本開示の第２の１態様では、マルチユーザ多重入力多重出力（ＭＵ−ＭＩＭＯ）に基づくワイヤレス通信方法が提供され、共スケジュール化プリコーディング・マトリックス・インジケータ（ＰＭＩ）に対応するマルチユーザ・チャネル品質インジケータ（ＭＵ−ＣＱＩ）オフセットを、ユーザ機器（ＵＥ）によって、ｅＮｏｄｅＢへレポートするステップを備え、第１の共スケジュール化ＰＭＩに対応する第１のＭＵ−ＣＱＩオフセットはビットの第１の数でレポートされ、第１の共スケジュール化ＰＭＩと相関される第２の共スケジュール化ＰＭＩに対応する第２のＭＵ−ＣＱＩオフセットはビットの第２の数でレポートされるか、またはレポートされず、第２の数は第１の数よりも小さい。好ましくは、第１の数は２、第２の数は１である。
【００１４】
本開示の第３の１態様では、マルチユーザ多重入力多重出力（ＭＵ−ＭＩＭＯ）に基づくワイヤレス通信方法が提供され、無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ユーザ機器（ＵＥ）によって、一連のビットでｅＮｏｄｅＢへレポートするステップを備え、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００１５】
第３の態様の１例では、ＲＲＣによって構成される複数の共スケジュール化ＰＭＩに対応するＭＵ−ＣＱＩオフセットの中での最良のＭＵ−ＣＱＩオフセットとその対応する共スケジュール化ＰＭＩのインジケーションが一連のビットでレポートされる。
【００１６】
第３の態様のこの１例では、好ましくは、ＲＲＣによって構成される複数の共スケジュール化ＰＭＩに対応するＭＵ−ＣＱＩの中での最悪のＭＵ−ＣＱＩオフセットとその対応する共スケジュール化ＰＭＩのインジケーションもまた一連のビットでレポートされる。
【００１７】
第３の態様のこの１例では、好ましくは、ランダムに選択される共スケジュール化ＰＭＩに対応するＭＵ−ＣＱＩオフセットもまた一連のビットでレポートされる。
【００１８】
第３の態様のこの１例では、好ましくは、最良のＭＵ−ＣＱＩオフセットに関連する共スケジュール化ＰＭＩではなく、循環的に選択される共スケジュール化ＰＭＩに対応するＭＵ−ＣＱＩオフセットもまた一連のビットでレポートされる。さらに好ましくは、循環的に選択される共スケジュール化ＰＭＩは、サブバンドに対して循環的に選択される。
【００１９】
第３の態様の１例では、好ましくは、最良のＭＵ−ＣＱＩオフセットがレポート用に使用されるＭＵ−ＣＱＩオフセット表に定義される最悪のオフセット・レベルよりも良くない場合、最良のＭＵ−ＣＱＩオフセットとその対応する共スケジュール化ＰＭＩのインジケーションがレポートされるだけである。
【００２０】
本開示の第４の１様態では、マルチユーザ多重入力多重出力（ＭＵ−ＭＩＭＯ）をサポートするユーザ機器（ＵＥ）が提供され、共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニットを備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は、第１の数よりも小さい。
【００２１】
本開示の第５の１態様では、マルチユーザ多重入力多重出力（ＭＵ−ＭＩＭＯ）をサポートするユーザ機器（ＵＥ）が提供され、共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニットを備え、第１の共スケジュール化ＰＭＩに対応する第１のＭＵ−ＣＱＩオフセットはビットの第１の数でレポートされ、第１の共スケジュール化ＰＭＩと相関される第２の共スケジュール化ＰＭＩに対応する第２のＭＵ−ＣＱＩオフセットはビットの第２の数でレポートされるか、またはレポートされず、第２の数は、第１の数よりも小さい。
【００２２】
本開示の第６の１態様では、マルチユーザ多重入力多重出力（ＭＵ−ＭＩＭＯ）をサポートするユーザ機器（ＵＥ）が提供され、無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ｅＮｏｄｅＢへ、一連のビットでレポートするように構成されるレポート・ユニットを備え、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００２３】
本開示の第７の１態様では、マルチユーザ多重入力多重出力（ＭＵ−ＭＩＭＯ）に基づくワイヤレス通信方法が提供され、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢによって受信するステップを備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は、第１の数よりも小さい。
【００２４】
本開示の第８の１態様では、マルチユーザ多重入力多重出力（ＭＵ−ＭＩＭＯ）に基づくワイヤレス通信方法が提供され、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢによって受信するステップを備え、第１の共スケジュール化ＰＭＩに対応する第１のＭＵ−ＣＱＩオフセットはビットの第１の数でレポートされ、第１の共スケジュール化ＰＭＩと相関される第２の共スケジュール化ＰＭＩに対応する第２のＭＵ−ＣＱＩオフセットはビットの第２の数でレポートされるか、またはレポートされず、第２の数は、第１の数よりも小さい。
【００２５】
本開示の第９の１態様では、マルチユーザ多重入力多重出力（ＭＵ−ＭＩＭＯ）に基づくワイヤレス通信方法が提供され、一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ｅＮｏｄｅＢによって受信するステップを備え、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００２６】
本開示の第１０の１態様では、マルチユーザ多重入力多重出力（ＭＵ−ＭＩＭＯ）をサポートするｅＮｏｄｅＢが提供され、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は、第１の数よりも小さい。
【００２７】
本開示の第１１の１態様では、マルチユーザ多重入力多重出力（ＭＵ−ＭＩＭＯ）をサポートするｅＮｏｄｅＢが提供され、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、第１の共スケジュール化ＰＭＩに対応する第１のＭＵ−ＣＱＩオフセットはビットの第１の数でレポートされ、第１の共スケジュール化ＰＭＩと相関される第２の共スケジュール化ＰＭＩに対応する第２のＭＵ−ＣＱＩオフセットはビットの第２の数でレポートされるか、またはレポートされず、第２の数は、第１の数よりも小さい。
【００２８】
本開示の第１２の１態様では、マルチユーザ多重入力多重出力（ＭＵ−ＭＩＭＯ）をサポートするｅＮｏｄｅＢが提供され、一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを受信するように構成される受信ユニットを備え、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００２９】
本開示の上記の態様に従って、ＭＵ−ＣＱＩオフセットをレポートするためのオーバヘッドを、性能を大幅に失うことなく削減できる。
【００３０】
前述は要約であり、従って、詳細の単純化、一般化、および省略を必然的に含んでいる。本明細書に記載される、他の態様、特徴、装置および／またはプロセスおよび／または他の主題の利点は、本明細書で説明される教示の中で明らかになるであろう。要約は、以下の発明を実施するための形態の中でさらに記述される単純化した形式で概念の選択を紹介するために提供される。この要約は、特許請求される主題の重要な特徴または不可欠な特徴を特定することを意図したものではなく、また、特許請求される主題の範囲を判断する際の助けとして使用されることを意図したものでもない。
【００３１】
本開示の前述および他の特徴は、添付の図面と併せて、次の説明と添付の特許請求の範囲からより完全に明らかになるであろう。これらの図面は本開示によるいくつかの実施形態のみを描いており、従って、その範囲を制限するものと見なされないことを理解して、本開示は添付の図面の利用を通して、追加の特異性と詳細により記述されるであろう。
【図面の簡単な説明】
【００３２】
【図１】ＭＵ−ＣＱＩオフセット・フィードバックに対してＭＵ−ＭＩＭＯをサポートする例示的な通信システムを示す図
【図２】第１の実施形態によるＭＵ−ＣＱＩオフセットをレポートする方法の例示的なフローチャート
【図３】第１の実施形態によるＵＥを概略的に示すブロック図
【図４】第１の実施形態によるＭＵ−ＣＱＩオフセットを受信する方法の例示的なフローチャート
【図５】第１の実施形態によるｅＮｏｄｅＢを概略的に示すブロック図
【図６】第２の実施形態によるＭＵ−ＣＱＩオフセットレポートを説明するための例示的な通信システムを示す図
【図７】第３の実施形態によるＭＵ−ＣＱＩオフセットをレポートする方法の例示的なフローチャート
【図８】最良のＭＵ−ＣＱＩオフセットがレポートされる、第３の実施形態の１例による例示的なビット列を概略的に示す図
【図９】最良のＭＵ−ＣＱＩオフセットと最悪のＭＵ−ＣＱＩオフセットがレポートされる、第３の実施形態の１例による例示的なビット列を概略的に示す図
【図１０】最良のＭＵ−ＣＱＩオフセットと循環的に選択される共スケジュール化ＰＭＩに対応するＭＵ−ＣＱＩオフセットとがレポートされる、第３の実施形態の１例による例示的なビット列を概略的に示す図
【図１１】第３の実施形態によるＭＵ−ＣＱＩオフセットを受信する方法の例示的なフローチャート
【発明を実施するための形態】
【００３３】
次の発明を実施するための形態において、その一部をなす添付の図面を参照する。図面において同一の符号は、別段文脈によって示されない限り、一般に同一の構成要素を特定する。本開示の態様は、幅広い様々な構成で構成し、置き換え、組み合わせ、設計することができることは容易に理解されよう。これらのすべては、明確に企図されており、本開示の一部をなす。
【００３４】
（実施例１）
現在の物理層規格（Ｒｅｌ．１１）では、コードブックはいくつかのセットに分割できる。同じセット内にあるコードブックは互いに他のものと完全に直交し、異なるセットの中にあるコードブックは完全に直交しない。例えば、現在の物理層規格の中の４ｔｘのコードブックに基づいて、１６のコードブックは次に示すように４つのセットに分割できる。
【００３５】
ＣＢ０＝｛Ｗ０，Ｗ１，Ｗ２，Ｗ３｝  ＣＢ１＝｛Ｗ４，Ｗ５，Ｗ６，Ｗ７｝  ＣＢ２＝｛Ｗ８，Ｗ９，Ｗ１０，Ｗ１１｝  ＣＢ３＝｛Ｗ１２，Ｗ１３，Ｗ１４，Ｗ１５｝
ＣＢ０〜ＣＢ３は、４つのコードブック・セットであり、そのそれぞれは４つの完全に直交するコードブックを含む。この場合、共スケジュール化ＰＭＩ数が表１で記述されるように５であると仮定すると、６つのコードブックが選択されるべきであり、所望のＰＭＩに対して１つ、５つの共スケジュール化ＰＭＩに対して５つが選択され、その結果として、２つの共スケジュール化ＰＭＩは、他のものと同一のセットに属してはならない。また、ｅＮｏｄｅＢがＭＵ−ＭＩＭＯに対する異なるセットの中でＰＭＩを使用する場合、共スケジュール化ＭＵ性能が劣化するであろう。従って、ｅＮｏｄｅＢはＭＵ−ＭＩＭＯに対する同一のセットの中でＰＭＩを使用することが好ましい。特に、ＵＥが正確なＰＭＩに対する３つのＣＱＩオフセットをすでにフィードバックしている場合、実際の共スケジュール化ＵＥに対して使用されるべき同一のセットの中にないＰＭＩを選択する可能性は比較的小さい。その結果として、所望のＰＭＩと（完全に直交する）同一のセットの中にない共スケジュール化ＰＭＩに対応するＣＱＩオフセットに対する粗いフィードバックで十分な場合がある。言い換えれば、所望のＰＭＩと完全に直交しない共スケジュール化ＰＭＩに対応するＭＵ−ＣＱＩオフセットは、所望のＰＭＩと完全に直交する共スケジュール化ＰＭＩに対応するＭＵ−ＣＱＩオフセットと比較して、ビットのより少ない数で（より粗く）レポートできる。ここでは、所望のＰＭＩは、上述のようにターゲットＵＥが選択する最良のＰＭＩである。
【００３６】
上述を考慮して、ＵＥ側で、第１の実施形態は、図２に示すように、マルチユーザ多重入力多重出力（ＭＵ−ＭＩＭＯ）に基づくワイヤレス通信方法として実装できる。方法２００は、共スケジュール化プリコーディング・マトリックス・インジケータ（ＰＭＩ）に対応するマルチユーザ・チャネル品質インジケータ（ＭＵ−ＣＱＩ）オフセットを、ＵＥ（ターゲットＵＥ）によって、ｅＮｏｄｅＢへレポートするステップ２０１を備える。方法２００では、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は、第１の数よりも小さい。方法２００に従って、すべてのＭＵ−ＣＱＩオフセットは、ビットの同一の数でレポートされない。非直交共スケジュール化ＰＭＩに対応するＣＱＩオフセットは、より少ないビット数でより粗くレポートできるが通信性能を大幅に削減しない。というのは、非直交共スケジュール化ＰＭＩがｅＮｏｄｅＢによって実際に選択される可能性はより低いからである。
【００３７】
好ましくは、方法２００では、第１の数は２、第２の数は１とすることができる。言い換えれば、第１のＭＵ−ＣＱＩオフセットは２ビットでレポートでき、第２のＭＵ−ＣＱＩオフセットは１ビットでレポートできる。それにもかかわらず、第１の数は２に限定されず、２より大きな任意の数にすることもできる。同様に、第２の数は１に限定されず、第１の数よりも小さな任意の数にすることができる。
【００３８】
上述したように、レポートされるビットの値とＭＵ−ＣＱＩオフセットのオフセット・レベル（単にＭＵ−ＣＱＩオフセットとも呼ばれる）との間の関係は表２のような差分ＣＱＩ表の中で定義できる。しかしながら、表２はＭＵ−ＣＱＩオフセットのレポートには適さない場合がある。というのは、共スケジュール化ＰＭＩを有するＭＵ−ＣＱＩは、干渉と電力低減のために、所望のＰＭＩに対するＣＱＩよりも小さくすべきであり、そのため、ＭＵ−ＣＱＩオフセットは、一般に負とすべきである。表３はＭＵ−ＣＱＩオフセットに対する例示的な修正された表を示す。
【００３９】
【表３】
2016526860.tif 000005
表３では、「サブバンド差分ＣＱＩ値」はビットの値に対応し、「オフセット・レベル」はＭＵ−ＣＱＩオフセットに対応する。ＭＵ−ＣＱＩオフセットは一般に負であり、所望のＰＭＩに対するＣＱＩに関連するＭＵ−ＣＱＩの劣化を現わしていることが分かる。この実施形態では、ビットの第１の数、すなわち、第１の共スケジュール化ＰＭＩに対するビットは表３と類似なＭＵ−ＣＱＩオフセット表に基づいて解釈できる。言い換えれば、第１のＭＵ−ＣＱＩオフセットとビットの第１の数との間の関係は、ＭＵ−ＣＱＩオフセット表（第１のＭＵ−ＣＱＩオフセット表）の中で定義できる。ＭＵ−ＣＱＩオフセット表は規格の中で指定できる。表３は単なる１例であり、他の適切な表も指定できることに留意されたい。
【００４０】
ビットの第２の数、すなわち第２の共スケジュール化ＰＭＩに対する（１つまたは複数の）ビットの解釈として、第２のＭＵ−ＣＱＩオフセットとビットの第２の数との間の関係は第２のＭＵ−ＣＱＩオフセット表の中で定義でき、例えば、第２のＭＵ−ＣＱＩオフセット表は、第１のＭＵ−ＣＱＩオフセット表のサブセットとすることができる。表３を例として取り上げ、第２の共スケジュール化ＰＭＩに対して１ビットを仮定すると、１ビットに対して２つの値「０」と「１」が存在し、次いで、１ビットの２つの値に対するオフセット・レベルは、例えば、表３の中のオフセット・レベルから選択して指定でき、すなわち、１ビットの２つの値に対するオフセット・レベルは表３の中のオフセット・レベルのサブセットとすることができる。例えば、「０」は「−２ｄＢ」、「１」は「≦−３」になるであろう。表４は第２の共スケジュール化ＰＭＩに対する例示的なＭＵ−ＣＱＩオフセット表を示す。表４はまた、規格の中で指定できる。明らかに、表４は単なる１例であり、第２の共スケジュール化ＰＭＩに対するオフセット・レベルは、第１の共スケジュール化ＰＭＩに対するオフセット・レベルのサブセットに限定されている。例えば、「０」は「−３ｄＢ」、「１」は「≦−４」になるであろう。任意の適切なＭＵ−ＣＱＩオフセット表が、第２の共スケジュール化ＰＭＩに対して指定できる。
【００４１】
【表４】
2016526860.tif 000006
代替として、第２の共スケジュール化ＰＭＩに対するビットはまた、ビットの第１の数でレポートされている第１のＭＵ−ＣＱＩオフセットの中での最良または最悪のＭＵ−ＣＱＩオフセットに対するオフセットを示すことができる。例えば、第２の共スケジュール化ＰＭＩに対して１ビットの場合、「０」は最悪の第１のＭＵ−ＣＱＩオフセットに対して−２ｄＢオフセットを意味することができ、「１」は最悪のＭＵ−ＣＱＩオフセットに対して「≦−３ｄＢ」オフセットを意味することができる。最悪の第１のＭＵ−ＣＱＩオフセットが「−３ｄＢ」であると仮定すると、「０」が示す第２のＭＵ−ＣＱＩオフセットは「−３ｄＢ」＋「−２ｄＢ」＝「−５ｄＢ」であり、「１」が示す第２のＭＵ−ＣＱＩオフセットは「−３ｄＢ」＋「≦−３ｄＢ」＝「≦−６ｄＢ」である。この代替では、第２の共スケジュール化ＰＭＩに対するビットは相対値、すなわち、第１のＭＵ−ＣＱＩオフセットに対するオフセットを表す。
【００４２】
次に、第１の実施形態の特別な１例が、第１の実施形態の概念と利点を説明するために、表５と関連して説明される。
【００４３】
【表５】
2016526860.tif 000007
表５の例は、表１の共スケジュール化ＰＭＩの仮定に基づいている。５つの共スケジュール化ＰＭＩが仮定される。所望のＰＭＩインデックスは０であり、共スケジュール化ＰＭＩは、ＰＭＩ１、ＰＭＩ２、ＰＭＩ３、ＰＭＩ８、およびＰＭＩ１０であり、それらの中で、ＰＭＩ１、ＰＭＩ２、およびＰＭＩ３はＰＭＩ０と同一のセットに属している、すなわち、ＰＭＩ０と完全に直交しており、ＰＭＩ８とＰＭＩ１０はＰＭＩ０と同一のセットに属していない、すなわち、ＰＭＩ０と完全に直交しない。従来技術によれば、すべての共スケジュール化ＰＭＩに対して、ＭＵ−ＣＱＩオフセットをレポートするためにそれぞれ２ビットが必要とされ、従って、合計１０ビットが必要である。対照的に、本開示の第１の実施形態によれば、ＰＭＩ８とＰＭＩ１０に対して、ＭＵ−ＣＱＩオフセットをレポートするためにそれぞれ１ビットのみが必要とされ、従って、合計８ビットが必要である。従来技術と比較すると、本開示の第１の実施形態によるこの例では、それぞれのサブバンドに対して２ビットを節約できる。
【００４４】
図３は、本開示の第１の実施形態によるＵＥ３００を示すブロック図である。ＵＥ３００は、マルチユーザ多重入力多重出力（ＭＵ−ＭＩＭＯ）をサポートし、ステップ２０１において上述したように、共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニット３０１を備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は第１の数よりも小さい。
【００４５】
本開示によるＵＥ３００は、ＵＥ３００の中のそれぞれのユニットの様々なデータと制御操作を処理するために関連するプログラムを実行するＣＰＵ（中央処理ユニット）３１０、ＣＰＵ３１０によって様々な処理と制御を実行するために必要な様々なプログラムを格納するＲＯＭ（読出し専用メモリ）３１３、ＣＰＵ３１０による処理と制御の手順の中で一時的に作成される中間データを格納するＲＡＭ（ランダム・アクセス・メモリ）３１５、および／または様々なプログラム、データなどを格納する記憶ユニット３１７を、場合により含むことができる。上記のレポート・ユニット３０１、ＣＰＵ３１０、ＲＯＭ３１３、ＲＡＭ３１５および／または記憶ユニット３１７などは、データおよび／またはコマンド・バス３２０を介して相互に結合でき、互いの間で信号を転送できる。
【００４６】
上述のそれぞれのユニットは、本開示の範囲を制限するものではない。本開示の１実装に従い、上記のレポート・ユニット３０１の機能はハードウェアで実装でき、上記のＣＰＵ３１０、ＲＯＭ３１３、ＲＡＭ３１５および／または記憶ユニット３１７は必要ない場合がある。代替として、上記のレポート・ユニット３０１の機能はまた、上記のＣＰＵ３１０、ＲＯＭ３１３、ＲＡＭ３１５および／または記憶ユニット３１７などと組み合わせて、機能的なソフトウェアで実装できる。
【００４７】
従って、ｅＮｏｄｅＢ側で、第１の実施形態は、図４に示すように、マルチユーザ多重入力多重出力（ＭＵ−ＭＩＭＯ）に基づくワイヤレス通信方法４００として実装できる。方法４００は、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを、ｅＮｏｄｅＢによって受信するステップ４０１を備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は第１の数よりも小さい。
【００４８】
図５は、本開示の第１の実施形態によるｅＮｏｄｅＢ５００を示すブロック図である。ｅＮｏｄｅＢ５００は、マルチユーザ多重入力多重出力（ＭＵ−ＭＩＭＯ）をサポートし、ステップ４０１の中で上述したように、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、所望のＰＭＩと完全に直交する第１の共スケジュール化ＰＭＩに対応する第１のＭＵ−ＣＱＩオフセットはビットの第１の数でレポートされ、所望のＰＭＩと完全に直交しない第２の共スケジュール化ＰＭＩに対応する第２のＭＵ−ＣＱＩオフセットはビットの第２の数でレポートされ、第２の数は第１の数よりも小さい。
【００４９】
本開示によるｅＮｏｄｅＢ５００は、ｅＮｏｄｅＢ５００の中のそれぞれのユニットの様々なデータと制御操作を処理するために関連するプログラムを実行するＣＰＵ（中央処理ユニット）５１０、ＣＰＵ５１０によって様々な処理と制御を実行するために必要な様々なプログラムを格納するＲＯＭ（読出し専用メモリ）５１３、ＣＰＵ５１０による処理と制御の手順の中で一時的に作成される中間データを格納するＲＡＭ（ランダム・アクセス・メモリ）５１５、および／または様々なプログラム、データなどを格納する記憶ユニット５１７を、場合により含むことができる。上記の受信ユニット５０１、ＣＰＵ５１０、ＲＯＭ５１３、ＲＡＭ５１５および／または記憶ユニット５１７などは、データおよび／またはコマンド・バス５２０を介して相互に結合でき、互いの間で信号を転送できる。
【００５０】
上述のそれぞれのユニットは、本開示の範囲を制限するものではない。本開示の１実装に従い、上記の受信ユニット５０１の機能は、ハードウェアで実装でき、上記のＣＰＵ５１０、ＲＯＭ５１３、ＲＡＭ５１５および／または記憶ユニット５１７は必要ない場合がある。代替として、上記の受信ユニット５０１の機能はまた、上記のＣＰＵ５１０、ＲＯＭ５１３、ＲＡＭ５１５および／または記憶ユニット５１７などと組み合わせて、機能的なソフトウェアで実装できる。
【００５１】
（実施例２）
いくつかの共スケジュール化ＰＭＩは、小さな空間的な距離またはスペースを有する場合があり、すなわち、いくつかの共スケジュール化ＰＭＩは図６に示すように相関を持つ。図６は、ＭＵ−ＣＱＩオフセット・フィードバックに対してＭＵ−ＭＩＭＯをサポートする例示的な通信システムを示し、その中にはターゲットＵＥに対する５つの共スケジュール化ＰＭＩが存在する。これらの共スケジュール化ＰＭＩの中では、共スケジュール化ＰＭＩ１とＰＭＩ２が小さい空間的な距離を有しており、すなわち、それらは相関を持つ。この環境下では、すべての相関のある共スケジュール化ＰＭＩに対してＣＱＩオフセットを正確にフィードバックする必要はない。それらの中の１つのみが正確にレポートされる必要があり、正確にレポートされるものと相関のある他のものは、より少ないビットでレポートできるか、レポートしないことにできる。言い換えれば、第１の共スケジュール化ＰＭＩに対応する第１のＭＵ−ＣＱＩオフセットはビットの第１の数でレポートでき、第１の共スケジュール化ＰＭＩと相関のある第２の共スケジュール化ＰＭＩに対応する第２のＭＵ−ＣＱＩオフセットはビットの第２のより少ない数でレポートできるか、レポートしないことにできる。例えば、図６の場合に対しては、共スケジュール化ＰＭＩ１は２ビットでレポートでき、一方、共スケジュール化ＰＭＩ２は１ビットのみでレポートできるか、レポートしないことにできる。
【００５２】
上記を考慮して、ＵＥ側では、第２の実施形態は、マルチユーザ多重入力多重出力（ＭＵ−ＭＩＭＯ）に基づくワイヤレス通信方法として実装できる。第２の実施形態による方法は、共スケジュール化プリコーディング・マトリックス・インジケータ（ＰＭＩ）に対応するマルチユーザ・チャネル品質インジケータ（ＭＵ−ＣＱＩ）オフセットを、ＵＥによってｅＮｏｄｅＢへレポートする、図２に示すステップ２０１と類似するステップを備える。しかしながら、第２の実施形態では、第１の共スケジュール化ＰＭＩに対応する第１のＭＵ−ＣＱＩオフセットはビットの第１の数でレポートされ、第１の共スケジュール化ＰＭＩと相関のある第２の共スケジュール化ＰＭＩに対応する第２のＭＵ−ＣＱＩオフセットはビットの第２の数でレポートされるか、またはレポートされず、第２の数は第１の数よりも小さい。言い換えれば、第２の実施形態に従って、互いに他と相関のある（小さな空間的距離を有するか、または類似の劣化レベルを有することが予期される）共スケジュール化ＰＭＩの１つ（第１の共スケジュール化ＰＭＩ）に対応するＭＵ−ＣＱＩオフセットは、ビットのより大きい数（例えば、２ビット）でレポートされ、共スケジュール化ＰＭＩの別のもの（第２の共スケジュール化ＰＭＩ）に対応するＭＵ−ＣＱＩオフセットは、ビットのより少ない数（例えば、１ビット）でレポートされるか、または、代替として、第２の共スケジュール化ＰＭＩに対応するＭＵ−ＣＱＩオフセットはレポートされないだろう。
【００５３】
第１の実施形態で述べたように、第１の共スケジュール化ＰＭＩに対するビットの第１の数の解釈は、表３のようにＭＵ−ＣＱＩオフセット表の中で定義でき、すなわち、第１のＭＵ−ＣＱＩオフセットとビットの第１の数との間の関係は、ＭＵ−ＣＱＩオフセット表の中で定義でき、それは規格の中で指定できる。
【００５４】
第２の実施形態において、第２のＭＵ−ＣＱＩオフセットがビットの第２の数でレポートされる場合、ビットの第２の数は、第１のＭＵ−ＣＱＩオフセットへのオフセットを示すことができる。例えば、第２の数が１、すなわち、第２の共スケジュール化ＰＭＩが１ビットの場合、「０」は、例えば、第１のＭＵ−ＣＱＩオフセットに対して１ｄＢオフセットを意味することができ、「１」は、例えば、第１のＭＵ−ＣＱＩオフセットに対して−１ｄＢオフセットであることを意味できる。第１のＭＵ−ＣＱＩオフセットが「−２ｄＢ」であると仮定すると、「０」が表す第２のＭＵ−ＣＱＩオフセットは「−２ｄＢ」＋「１ｄＢ」＝「−１ｄＢ」であり、「１」が表す第２のＭＵ−ＣＱＩオフセットは「−２ｄＢ」＋「−１ｄＢ」＝「−３ｄＢ」である。また、第２のＭＵ−ＣＱＩオフセットがレポートされない場合、第２のＭＵ−ＣＱＩオフセットは、第１のＭＵ−ＣＱＩオフセットと同一であると仮定できる。
【００５５】
第２の実施形態では、所望のＰＭＩと完全に直交する共スケジュール化ＰＭＩは第１の共スケジュール化ＰＭＩとして選択でき、第２の共スケジュール化ＰＭＩは所望のＰＭＩと完全に直交しない共スケジュール化ＰＭＩとすることができる。第１の実施形態で述べたように、所望のＰＭＩと（完全に直交する）同一のセットの中にない１つの共スケジュール化ＰＭＩに対応するＣＱＩオフセットに対する粗いフィードバックで十分である場合がある。従って、第２の実施形態では、第１の共スケジュール化ＰＭＩは、好ましくは、所望のＰＭＩと完全に直交する共スケジュール化ＰＭＩとすることができ、そのため、ビットのより大きな数でレポートできる。
【００５６】
レポート・ユニットを備える第２の実施形態によるＵＥは、次を除いて第１の実施形態によるＵＥ３００と類似な構成を有する。第２の実施形態によるレポート・ユニットは、共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成でき、第１の共スケジュール化ＰＭＩに対応する第１のＭＵ−ＣＱＩオフセットはビットの第１の数でレポートされ、第１の共スケジュール化ＰＭＩと相関のある第２の共スケジュール化ＰＭＩに対応する第２のＭＵ−ＣＱＩオフセットはビットの第２の数でレポートされるか、またはレポートされず、第２の数は第１の数よりも小さい。
【００５７】
従って、ｅＮｏｄｅＢ側で、第２の実施形態は、マルチユーザ多重入力多重出力（ＭＵ−ＭＩＭＯ）に基づくワイヤレス通信方法として実装できる。第２の実施形態による方法は、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢによって受信する、図４で示すステップ４０１と類似なステップを備え、第１の共スケジュール化ＰＭＩに対応する第１のＭＵ−ＣＱＩオフセットはビットの第１の数でレポートされ、第１の共スケジュール化ＰＭＩと相関のある第２の共スケジュール化ＰＭＩに対応する第２のＭＵ−ＣＱＩオフセットはビットの第２の数でレポートされるか、またはレポートされず、第２の数は第１の数よりも小さい。
【００５８】
受信ユニットを備える第２の実施形態によるｅＮｏｄｅＢは、次を除いて第１の実施形態によるＵＥ５００と類似な構成を有する。第２の実施形態による受信ユニットは、ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成でき、第１の共スケジュール化ＰＭＩに対応する第１のＭＵ−ＣＱＩオフセットはビットの第１の数でレポートされ、第１の共スケジュール化ＰＭＩと相関のある第２の共スケジュール化ＰＭＩに対応する第２のＭＵ−ＣＱＩオフセットはビットの第２の数でレポートされるか、またはレポートされず、第２の数は第１の数よりも小さい。
【００５９】
上記の分析から分かるように、第２の実施形態に従って、ＭＵ−ＣＱＩオフセットをレポートするためのオーバヘッドは、性能を大幅に失うことなく削減できる。
【００６０】
（実施例３）
第３の実施形態の考えは、構成される共スケジュール化ＰＭＩの一部のみに対するＭＵ−ＣＱＩオフセットをレポートし、どのＰＭＩがインジケーションビットでレポートされるかを示す。ｅＮｏｄｅＢはどのＰＭＩがインジケーションビットに基づいてレポートされるかを知ることができるため、インジケーションビットは、フィードバックの正確性を保証するために使用される。レポートされないＭＵ−ＣＱＩオフセットは、レポートされるＭＵ−ＣＱＩオフセットに基づいて計算でき、例えば、レポートされないＭＵ−ＣＱＩオフセットは、レポートされるＭＵ−ＣＱＩオフセットを平均することで計算できる。１つのみのＭＵ−ＣＱＩオフセットがレポートされる場合、本明細書の中では、「平均」はレポートされるＭＵ−ＣＱＩオフセット自身を指す。
【００６１】
上記を考慮して、ＵＥ側で、第３の実施形態は、図７に示すように、マルチユーザ多重入力多重出力（ＭＵ−ＭＩＭＯ）に基づくワイヤレス通信方法７００として実装できる。方法７００は、無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ＵＥによって、一連のビットでｅＮｏｄｅＢへレポートするステップ７０１を備え、一連のビットの第１のセクション（インジケーションビット）はＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００６２】
本明細書では、ＲＲＣによって構成される複数の共スケジュール化ＰＭＩは、表１に示すようにできる。例えば、所望のＰＭＩがＰＭＩ０の場合、ＲＲＣによって構成される複数の共スケジュール化ＰＭＩは、ＰＭＩ１、ＰＭＩ２、ＰＭＩ３、ＰＭＩ８、およびＰＭＩ１０である。第３の実施形態に従って、ＵＥは構成される共スケジュール化ＰＭＩの一部に対する（１つまたは複数の）ＭＵ−ＣＱＩオフセットをレポートするのみである。例えば、表１の例と所望のＰＭＩとしてＰＭＩ０を仮定する例において、ＵＥは、ＰＭＩ１、ＰＭＩ２、ＰＭＩ３、ＰＭＩ８、およびＰＭＩ１０のすべてに対してではなく、ＰＭＩ１、またはＰＭＩ２、またはＰＭＩ１とＰＭＩ２、またはＰＭＩ１、ＰＭＩ２、およびＰＭＩ３に対する（１つまたは複数の）ＭＵ−ＣＱＩオフセットをレポートするだけにできる。また、ＵＥはまた、ＭＵ−ＣＱＩオフセットをレポートするために使用される一連のビットの中にインジケーションビット（第１のセクション）を加えることによって、どのＰＭＩがレポートされるかをｅＮｏｄｅＢへ通知する。一連のビットにおいて、１つのセクション（第１のセクション）は、どのＰＭＩがレポートされるかを示す、すなわち、ＭＵ−ＣＱＩオフセットがレポートされる（１つまたは複数の）共スケジュール化ＰＭＩを示すために使用され、別のセクション（第２のセクション）は、（１つまたは複数の）レポートされるＭＵ−ＣＱＩオフセットをレポートする（示す）ために使用される。しかしながら、レポートされるすべての共スケジュール化ＰＭＩを示す必要がない場合がある。例えば、ＵＥがＰＭＩ１とＰＭＩ２に対するＭＵ−ＣＱＩオフセットをレポートする場合、一連のビットは、第１のセクションの中のＰＭＩ１とＰＭＩ２の両方ではなく、ＰＭＩ１またはＰＭＩ２のみを示すことができる。もちろん、ＰＭＩ１とＰＭＩ２の両方も示すことができる。従って、一連のビットの第１のセクションは、ＭＵ−ＣＱＩオフセットがレポートされる（１つまたは複数の）共スケジュール化ＰＭＩの少なくとも一部を示す。
【００６３】
レポートされないＭＵ−ＣＱＩオフセットは、レポートされるＭＵ−ＣＱＩオフセットに基づいてｅＮｏｄｅＢ側で計算できる。好ましくは、レポートされないＭＵ−ＣＱＩオフセットは、レポートされたＭＵ−ＣＱＩオフセットを平均することで計算できる。１つのみのＭＵ−ＣＱＩオフセットがレポートされる場合、本明細書では、「平均」は、ＭＵ−ＣＱＩオフセット自身でレポートされるものを指すことに留意されたい。
【００６４】
第３の実施形態の好ましい１例として、ＲＲＣによって構成される複数の共スケジュール化ＰＭＩに対応するＭＵ−ＣＱＩオフセットの中での最良のＭＵ−ＣＱＩオフセットとその対応する共スケジュール化ＰＭＩのインジケーションは、一連のビットでレポートされる。この例では、ＵＥは最良のＭＵ−ＣＱＩオフセットをレポートでき、どのＰＭＩが最良のＭＵ−ＣＱＩオフセットに対応するかをｅＮｏｄｅＢに通知できる。この例による例示的なビット列は図８に概略的に示される。図８では、第１から第３までのビットが、最良のＭＵ−ＣＱＩオフセットに対応するＰＭＩインデックス（最良のＰＭＩインデックス）を示すために使用され、第４から第５までのビットが最良のＭＵ−ＣＱＩオフセットをレポートするために使用される。３ビットがインジケーションビットとして選択される理由は、この例が表１の構成に基づいているためである。表１では、それぞれの所望のＰＭＩに対する可能な共スケジュール化ＰＭＩ数は５であり、このため、インジケーションビットは少なくとも５つのインデックスを示すことができるようにすべきである。従って、２ビットでは４つのインデックスしか示すことができないために３ビットが使用される。しかしながら、明らかに、インジケーションビットの数は可能な共スケジュール化ＰＭＩの異なる数に応じて修正できる。この好ましい例では、ＵＥは最良のＭＵ−ＣＱＩオフセットをレポートできるのみであるが、代替として、１つまたは複数の他のＭＵ−ＣＱＩオフセットもレポートできることに留意されたい。この例は、すべてのＭＵ−ＣＱＩオフセットがレポートされない限りにおいて他のＭＵ−ＣＱＩオフセットがレポートされるか否かを限定しない。
【００６５】
最良のＭＵ−ＣＱＩオフセットが、レポートのために使用されるＭＵ−ＣＱＩオフセット表の中で定義される最悪のオフセット・レベルよりも良くないという特定の場合、最良のＭＵ−ＣＱＩオフセットとその対応する共スケジュール化ＰＭＩのインジケーションのみがレポートされる。ここで、レポートのために使用されるＭＵ−ＣＱＩオフセット表は、ＭＵ−ＣＱＩオフセットを示すビットを解釈するために使用される表３のようなＭＵ−ＣＱＩオフセット表である。表３を例として取り上げると、最良のＭＵ−ＣＱＩオフセット・レベルが表３の中で定義される最悪のレベルである−３ｄＢ未満の場合、ＵＥは最良のＭＵ−ＣＱＩオフセットとその対応する共スケジュール化ＰＭＩのインジケーションをレポートするのみであり、ｅＮｏｄｅＢは他のＭＵ−ＣＱＩオフセットが最良のＭＵ−ＣＱＩオフセットと等しいと仮定する。
【００６６】
第３の実施形態の別の好ましい例では、最良のＭＵ−ＣＱＩオフセットとその対応する共スケジュール化ＰＭＩのインジケーションに加えて、ＲＲＣによって構成される複数の共スケジュール化ＰＭＩに対応するＭＵ−ＣＱＩオフセットの中での最悪のＭＵ−ＣＱＩオフセットとその対応する共スケジュール化ＰＭＩのインジケーションも、一連のビットでレポートされる。この例では、最良のＭＵ−ＣＱＩオフセットと最悪のＭＵ−ＣＱＩと対応する共スケジュール化ＰＭＩのインジケーションがレポートされる。最良の共スケジュール化ＰＭＩのインジケーションと最悪の共スケジュール化ＰＭＩのインジケーションは別々にレポートされる必要はなく、一緒にレポートできることに留意されたい。図９は、この例による例示的なビット列を概略的に示しており、最良のＭＵ−ＣＱＩオフセットと最悪のＭＵ−ＣＱＩオフセットが共にレポートされる。図９では、第１から第５ビットはどの２つのＰＭＩが最良のＭＵ−ＣＱＩオフセットと最悪のＭＵ−ＣＱＩオフセットに対応するかを示すために使用され、第６から第７ビットは最良のＭＵ−ＣＱＩオフセットをレポートするために使用され、第８から第９ビットは最悪のＭＵ−ＣＱＩオフセットをレポートするために使用される。ここでは、最良の共スケジュール化ＰＭＩのインジケーションと最悪の共スケジュール化ＰＭＩのインジケーションが一緒に５ビット（ＰＭＩインジケーション）でレポートされる。インジケーションビットとして５ビットが使用される理由は、この例が表１の構成に基づいているからである。表１では、それぞれの所望のＰＭＩに対する可能な共スケジュール化ＰＭＩ数は５であり、従って、インジケーションビットは、５つのＰＭＩの中から最良と最悪のＭＵ−ＣＱＩオフセットに対してそれぞれ１つのＰＭＩが選択される結果２０ケースとなるため、少なくとも２０ケースを示すことができるようにすべきである。従って、４ビットが１６ケースを示すことができるのみであるため５ビットが使用される。しかしながら、ｅＮｏｄｅＢがどのＰＭＩがより良いかをすでに知っている（例えば、ＲＲＣ信号で通知される）場合、５つのＰＭＩからの順序でなく２つのＰＭＩを選択する結果１０ケースとなるため、レポートされる最良と最悪のＭＵ−ＣＱＩオフセットを示すためには４ビットだけで十分な場合がある。また、明らかに、インジケーションビットの数は、可能な共スケジュール化ＰＭＩの異なる数に応じて修正できる。図９の例では、図５に示すように１０ビットが必要とされる従来技術と比べて、レポートを実行するために９ビットのみが必要とされる。レポートされない他のＭＵ−ＣＱＩオフセットは、最良のＭＵ−ＣＱＩオフセットと最悪のＭＵ−ＣＱＩオフセットとの間の平均にできる。
【００６７】
第３の実施形態の別の好ましい例では、最良のＣＱＩオフセットとその対応する共スケジュール化ＰＭＩのインジケーションに加えて、最良のＣＱＩオフセットに関連する共スケジュール化ＰＭＩではなく、循環的に選択される共スケジュール化ＰＭＩに対応するＭＵ−ＣＱＩオフセットも、一連のビットでレポートされる。この例では、循環的に選択される共スケジュール化ＰＭＩに対応するＭＵ−ＣＱＩオフセットは最悪のＭＵ−ＣＱＩオフセットの代わりにレポートされ、循環的に選択される共スケジュール化ＰＭＩは最良のＭＵ−ＣＱＩオフセットに関連する共スケジュール化ＰＭＩとすることができない。例えば、表１の例と所望のＰＭＩとしてＰＭＩ０を仮定する例において、最良のＭＵ−ＣＱＩオフセットに関連する最良の共スケジュール化ＰＭＩがＰＭＩ１である場合、循環的に選択される共スケジュール化ＰＭＩは、｛ＰＭＩ２，ＰＭＩ３，ＰＭＩ８，ＰＭＩ１０｝から循環的に選択できる。また、この例では、循環的に選択される共スケジュール化ＰＭＩのインジケーションはレポートされない場合がある。図１０はこの例による例示的なビット列を概略的に示しており、最良のＭＵ−ＣＱＩオフセットと循環的に選択される共スケジュール化ＰＭＩに対応するＭＵ−ＣＱＩオフセットとがレポートされる。図１０では、第１から第３ビットが最良のＭＵ−ＣＱＩオフセットに対応するＰＭＩインデックス（最良のＰＭＩインデックス）を示すために使用され、第４から第５ビットが最良のＭＵ−ＣＱＩオフセットをレポートするために使用され、第６から第７ビットが循環的に選択される共スケジュール化ＰＭＩに対応するＭＵ−ＣＱＩオフセットをレポートするために使用される。レポートされない他のＭＵ−ＣＱＩオフセットは、２つのレポートされるＭＵ−ＣＱＩオフセットの平均とすることができる。次の表６は、サブバンドに対して循環的に選択される共スケジュール化ＰＭＩを循環的に選択する例示的な方法を説明する。表６では、異なるＰＭＩ（ＰＭＩ２、ＰＭＩ３、ＰＭＩ８、ＰＭＩ１０）が異なるサブバンド（サブバンド１、サブバンド２、サブバンド３、サブバンド４など）に対して、循環的に選択される。
【００６８】
【表６】
2016526860.tif 000008
第３の実施形態の別の好ましい例では、最良のＭＵ−ＣＱＩオフセットとその対応する共スケジュール化ＰＭＩのインジケーションに加えて、ランダムに選択される共スケジュール化ＰＭＩに対応するＭＵ−ＣＱＩオフセットもまた一連のビットでレポートされる。この例は、ランダムに選択される共スケジュール化ＰＭＩに対応するＭＵ−ＣＱＩオフセットが、循環的に選択される共スケジュール化ＰＭＩに対応するＭＵ−ＣＱＩオフセットの代わりにレポートされるという点においてのみ最後の例と異なる。
【００６９】
レポート・ユニットを備える第３の実施形態によるＵＥは、次を除いて第１の実施形態によるＵＥ３００と類似な構成を有している。第３の実施形態によるレポート・ユニットは、無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、一連のビットでｅＮｏｄｅＢへレポートするように構成でき、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００７０】
従って、ｅＮｏｄｅＢ側では、第３の実施形態は、図１１に示すように、マルチユーザ多重入力多重出力（ＭＵ−ＭＩＭＯ）に基づくワイヤレス通信方法１１００として実装できる。方法１１００は、一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを、ｅＮｏｄｅＢによって受信するステップ１１０１を備え、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００７１】
受信ユニットを備える第３の実施形態によるｅＮｏｄｅＢは、次を除いて第１の実施形態によるＵＥ５００と類似な構成を有している。第３の実施形態による受信ユニットは、一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを受信するように構成でき、一連のビットの第１のセクションはＭＵ−ＣＱＩオフセットがレポートされる（１つまたは複数の）共スケジュール化ＰＭＩの少なくとも一部を示し、一連のビットの第２のセクションは（１つまたは複数の）レポートされるＭＵ−ＣＱＩオフセットを示す。
【００７２】
上記の分析から分かるように、第３の実施形態は性能とオーバヘッドとの間の妥協点を提供し、性能を大幅に失うことなくＭＵ−ＣＱＩオフセットをレポートするためのオーバヘッドを削減できる。
【００７３】
（代替の実施例）
ＭＵ−ＣＱＩオフセットをレポートするためのオーバヘッドを削減するために、２つの追加の解決策がある。第１の解決策は、ＵＥ側ですべての可能な共スケジュール化ＰＭＩに対応するすべてのＭＵ−ＣＱＩオフセットの平均をとり、１つの平均されたＭＵ−ＣＱＩオフセットをｅＮｏｄｅＢへレポートするのみである。第２の解決策は、最良の共スケジュール化ＰＭＩに対するＭＵ−ＣＱＩオフセットをレポートするのみである。最良の共スケジュール化ＰＭＩは、最小の劣化レベル（すなわち、最良のＭＵ−ＣＱＩオフセット）を導くものである。２つの解決策に対して、本開示は上述したように類似の方法、ＵＥとｅＮｏｄｅＢをも提供する。
【００７４】
本開示は、ソフトウェア、ハードウェア、またはハードウェアと連携するソフトウェアによって実現できる。上述したそれぞれの実施形態の記述の中で使用されるそれぞれの機能ブロックは、集積回路などのＬＳＩによって実現できる。それらは、チップとして個別に形成できるか、または、１つのチップが機能ブロックの一部もしくはすべてを含むように形成できる。ここでのＬＳＩは、集積度の差異に応じて、ＩＣ、システムＬＳＩ、スーパＬＳＩ、ウルトラＬＳＩを指すことができる。しかしながら、集積回路を実装する技術はＬＳＩを限定するものではなく、専用回路または汎用プロセッサを使用して実現できる。また、ＬＳＩの製造後にプログラムできるＦＰＧＡ（フィールド・プログラマブル・ゲート・アレイ）またはＬＳＩ内部に配置される回路のセルの接続と設定を再構成できる再構成可能プロセッサが使用できる。さらに、それぞれの機能ブロックの計算は、例えば、ＤＳＰまたはＣＰＵを含む計算手段を使用して実行でき、それぞれの機能の処理ステップは実行するプログラムとして記録媒体上に記録できる。さらに、ＬＳＩを代替する集積回路を実装する技術が半導体技術または他の派生技術の進展に従って出現する場合、機能ブロックはこのような技術を使用して集積できることは明らかである。
【００７５】
本発明は、本発明の内容と範囲から逸脱することなく、仕様と既知の技術の中で提示される記述に基づいて、当業者により様々に変更または修正がされることを意図しており、そのような変更と適用は保護されるべき特許請求の範囲内に入ることに留意されたい。さらに、本発明の内容から逸脱しない範囲において、上述の実施形態の構成要素は任意に結合できる。
【図１】
2016526860.tif 000009
【図２】
2016526860.tif 000010
【図３】
2016526860.tif 000011
【図４】
2016526860.tif 000012
【図５】
2016526860.tif 000013
【図６】
2016526860.tif 000014
【図７】
2016526860.tif 000015
【図８】
2016526860.tif 000016
【図９】
2016526860.tif 000017
【図１０】
2016526860.tif 000018
【図１１】
2016526860.tif 000019
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
マルチユーザ多重入力多重出力（ＭＵ−ＭＩＭＯ）をサポートするユーザ機器（ＵＥ）であって、
共スケジュール化プリコーディング・マトリックス・インジケータ（ＰＭＩ）に対応するマルチユーザ・チャネル品質インジケータ（ＭＵ−ＣＱＩ）オフセットをｅＮｏｄｅＢへレポートするように構成されるレポート・ユニットを備え、
第１の共スケジュール化ＰＭＩに対応する第１のＭＵ−ＣＱＩオフセットはビットの第１の数でレポートされ、
前記第１の共スケジュール化ＰＭＩと相関のある第２の共スケジュール化ＰＭＩに対応する第２のＭＵ−ＣＱＩオフセットはビットの第２の数でレポートされるか、またはレポートされず、
前記第２の数は前記第１の数よりも小さい、
ユーザ機器。
【請求項２】
前記第１の数は２であり、
前記第２の数は１である、
請求項１に記載のユーザ機器。
【請求項３】
マルチユーザ多重入力多重出力（ＭＵ−ＭＩＭＯ）をサポートするユーザ機器（ＵＥ）であって、
無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを一連のビットでｅＮｏｄｅＢへレポートするように構成されるレポート・ユニットを備え、
前記一連のビットの第１のセクションは前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、
ユーザ機器。
【請求項４】
ＲＲＣによって構成される前記複数の共スケジュール化ＰＭＩに対応する前記ＭＵ−ＣＱＩオフセットの中での最良のＭＵ−ＣＱＩオフセットとその対応する共スケジュール化ＰＭＩのインジケーションは、前記一連のビットでレポートされる、請求項３に記載のユーザ機器。
【請求項５】
ＲＲＣによって構成される前記複数の共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項４に記載のユーザ機器。
【請求項６】
ランダムに選択される共スケジュール化ＰＭＩに対応するＭＵ−ＣＱＩオフセットもまた、前記一連のビットでレポートされる、請求項４に記載のユーザ機器。
【請求項７】
前記最良のＭＵ−ＣＱＩオフセットに対応する前記共スケジュール化ＰＭＩ以外の循環的に選択される共スケジュール化ＰＭＩに対応するＭＵ−ＣＱＩオフセットもまた、前記一連のビットでレポートされる、請求項４に記載のユーザ機器。
【請求項８】
前記循環的に選択される共スケジュール化ＰＭＩはサブバンドに対して循環的に選択される、請求項７に記載のユーザ機器。
【請求項９】
前記最良のＭＵ−ＣＱＩオフセットが、前記レポートのために使用されるＭＵ−ＣＱＩオフセット表の中に定義される最悪のオフセット・レベルよりも大きくない場合、前記最良のＭＵ−ＣＱＩオフセットとその対応する共スケジュール化ＰＭＩのインジケーションのみがレポートされる、請求項４に記載のユーザ機器。
【請求項１０】
マルチユーザ多重入力多重出力（ＭＵ−ＭＩＭＯ）をサポートするｅＮｏｄｅＢであって、
ユーザ機器（ＵＥ）からレポートされる共スケジュール化プリコーディング・マトリックス・インジケータ（ＰＭＩ）に対応するマルチユーザ・チャネル品質インジケータ（ＭＵ−ＣＱＩ）オフセットを受信するように構成される受信ユニットを備え、
第１の共スケジュール化ＰＭＩに対応する第１のＭＵ−ＣＱＩオフセットはビットの第１の数でレポートされ、
前記第１の共スケジュール化ＰＭＩと相関のある第２の共スケジュール化ＰＭＩに対応する第２のＭＵ−ＣＱＩオフセットはビットの第２の数でレポートされるか、またはレポートされず、
前記第２の数は前記第１の数よりも小さい、
ｅＮｏｄｅＢ。
【請求項１１】
マルチユーザ多重入力多重出力（ＭＵ−ＭＩＭＯ）をサポートするｅＮｏｄｅＢであって、
一連のビットでユーザ機器（ＵＥ）からレポートされる無線リソース制御（ＲＲＣ）によって構成される複数の共スケジュール化プリコーディング・マトリックス・インジケータ（ＰＭＩ）の一部に対応する（１つまたは複数の）マルチユーザ・チャネル品質インジケータ（ＭＵ−ＣＱＩ）オフセットを受信するように構成される受信ユニットを備え、
前記一連のビットの第１のセクションは前記ＭＵ−ＣＱＩオフセットがレポートされる前記（１つまたは複数の）共スケジュール化ＰＭＩの少なくとも一部を示し、前記一連のビットの第２のセクションは前記（１つまたは複数の）レポートされるＭＵ−ＣＱＩオフセットを示す、
ｅＮｏｄｅＢ。
【請求項１２】
ＲＲＣによって構成される前記共スケジュール化ＰＭＩに対応する前記ＭＵ−ＣＱＩオフセットの中での最良のＭＵ−ＣＱＩオフセットとその対応する共スケジュール化ＰＭＩのインジケーションは前記一連のビットでレポートされる、請求項１１に記載のｅＮｏｄｅＢ。
【請求項１３】
ＲＲＣによって構成される前記共スケジュール化ＰＭＩに対応する前記ＭＵ−ＣＱＩオフセットの中での最悪のＭＵ−ＣＱＩオフセットとその対応する共スケジュール化ＰＭＩのインジケーションもまた、前記一連のビットでレポートされる、請求項１２に記載のｅＮｏｄｅＢ。
【請求項１４】
ランダムに選択される共スケジュール化ＰＭＩに対応するＭＵ−ＣＱＩオフセットもまた前記一連のビットでレポートされる、請求項１２に記載のｅＮｏｄｅＢ。
【請求項１５】
前記最良のＭＵ−ＣＱＩオフセットに対応する前記共スケジュール化ＰＭＩ以外の循環的に選択される共スケジュール化ＰＭＩに対応するＭＵ−ＣＱＩオフセットもまた、前記一連のビットでレポートされる、請求項１２に記載のｅＮｏｄｅＢ。
【請求項１６】
前記循環的に選択される共スケジュール化ＰＭＩはサブバンドに対して循環的に選択される、請求項１５に記載のｅＮｏｄｅＢ。
【請求項１７】
前記最良のＭＵ−ＣＱＩオフセットが、前記レポートのために使用されるＭＵ−ＣＱＩオフセット表の中に定義される最悪のオフセット・レベルよりも大きくない場合、前記最良のＭＵ−ＣＱＩオフセットとその対応する共スケジュール化ＰＭＩのインジケーションのみがレポートされる、請求項１２に記載のｅＮｏｄｅＢ。
【手続補正３】
【補正対象書類名】明細書
【補正対象項目名】０００１
【補正方法】変更
【補正の内容】
【０００１】
本開示は、ワイヤレス通信分野に関連し、詳細には、マルチユーザ・チャネル品質インジケータ（ＭＵ−ＣＱＩ）オフセットをレポートするユーザ機器およびｅＮｏｄｅＢに関する。
【国際調査報告】
2016526860.tif 000020
2016526860.tif 000021